(57)【要約】      （修正有）【課題】杖本体と石突面の角度が自由自在になることと、握り部のふらつきを、人体側面部と腕で抑制できることにより、路面状態にかかわらず、体を支え易く安定したスムーズな歩行が可能であり、場合によっては杖本体を直立不動の形として使用することもできる歩行者用杖を提供する。【解決手段】棒状の杖本体１の下部に平面を有する石突板１２を備えた歩行者用杖１００であって、杖本体１と石突板１２とは、石突板１２の上面に備えたボール軸６と、杖本体１の下端に接続された先端が二股状の形状のボールつかみ部９１を有するパイプアダプタ９によって結合されていることにより、石突板１２に対し杖本体１を自由自在の角度に傾けることが可能となされていることを特徴とする。【選択図】図１
2005270617.tif 000002
【特許請求の範囲】
【請求項１】
棒条の杖本体（１）の下部に平面を有する石突板（１２）を備えた歩行者用杖（１００）であって、杖本体（１）と石突板（１２）とは、石突板（１２）の上面に備えたボール軸（６）と、杖本体（１）下端に接続された先端が二股状の形状のボールつかみ部（９１）を有するパイプアダプタ（９）によって結合されていることにより、石突板（１２）に対し杖本体（１）を自由自在の角度に傾けることが可能となされていることを特徴とする歩行者用杖（１００）。
【請求項２】
上記石突板（１２）の平面の下側に少なくとも３ツ以上の突起（３、３・・・）が設けられていることを特徴とする請求項１記載の歩行者用杖（１００）。
【請求項３】
上記杖本体（１）の上部に設けられた略水平の握り部（２）の一端から、Ｃ字状の上方に延びた形状の柄（１３）が延設されていることを特徴とする請求項１、又は２記載の歩行者用杖（１００）。
【請求項４】
上記パイプアダプタ（９）の長手方向の中間に、４本の固定棒（４）の下端が回転可能にとりつけられており、石突板（１２）の上部の平面四隅に設けられた係止溝（１１）に上記固定棒（４）を係止することにより、杖本体（１）と石突板（１２）を固定することができるようになされていることを特徴とする請求項１〜３のいづれか記載の歩行者用杖（１００）。
【発明の詳細な説明】
【技術分野】
【０００１】  本発明は、老人、身障者、足腰に障害のある人等、あるいは視力の低い人や盲人等にもスムーズな歩行が可能であり、場合によっては直立不動の形にして使用することもできる歩行者用杖に関する。
〔背景技術〕【０００２】  一般に使用されている杖として、棒状の杖本体の上部に握り部、下部に石突が１個ついている杖があり、又、棒状の杖本体の上部に握り部、下部にたこ足状に複数の石突を付けた杖本体が直立不動であるという杖がある。
〔発明の開示〕
〔発明が解決しようとする課題〕【０００３】  前記、前者は石突の面積が少なく、手で杖を身体から離して使うため不安定であり力を加えにくく、路面状態によっては石突を突く場所を確認してから探るように石突を安定した所に持って行かなければ前に進めないという状況はしばしばあるが、老人や身障者、視力の低い人達にとっては大変な労力と苦痛を伴う。又、後者は杖本体が直立不動であるため安定しており力を加え易いという利点はあるがスムーズな歩行という点においては難しい面がある。【０００４】  本発明は、前記両者の弱点、利点を考慮し、体を支え易く、路面状態にかかわらず安心して杖を突くことができ、安定したスムーズな歩行状態を得ることと、杖本体を簡単に直立不動の形にすることができ、階段での使用時等、場合によっては安定した力を加え易い状態を得ることとを目的とし、二者択一の使用方法が可能な歩行者用杖を提供する。
〔課題を解決するための手段〕【０００５】  請求項１記載の歩行者用杖（以下本発明１という）は、棒状の杖本体の下部に平面を有する石突板１２を備えた歩行者用杖１００であって、杖本体１と石突板１２とは、石突板１２の上面と備えたボール軸６と、杖本体１下端に接続された先端が二股状の形状のボールつかみ部９１を有するパイプアダプタ９によって結合されていることにより、石突板１２に対し杖本体１を自由自在の角度に傾けることが可能となされていることを特徴とする。【０００６】  請求項２記載の歩行者用杖は（以下本発明２という）石突板１２の平面の下側に少なくとも３ツ以上の突起が設けられていることを特徴とする。【０００７】  請求項３記載の歩行者用杖は（以下本発明３という）杖本体１の上部に設けられた略水平の握り部２の一端から、Ｃ字状の上方に延びた形状の柄１３が延設されていることを特徴とする。【０００８】  請求項４記載の歩行者用杖は（以下本発明４という）パイプアダプタの長手方向の中間に４本の固定棒４の下端が回転可能にとりつけられており、石突板１２の上部の平面四隅に設けられた係止溝１１に上記固定棒４を係止することにより、杖本体１と石突板１２を固定することができるようになされていることを特徴とする。【０００９】  本発明の石突板１２の上面には２ツの凸部９２、９２があって、この２ツの凸部９２、９２の間にボールが位置していてボール軸６を形成している。このボール軸６のボール６１を杖本体１下端に接続されたパイプアダプタ９の先端の二股状の形状のボールつかみ部９１がつかんでいる。こうなっているから上記ボール６１を中心に、石突板１２に対し杖本体１は角度を自由自在に傾けることが可能である。【００１０】  本発明で用いる石突板１２は単板であってもよいが上下２枚から構成されていて、上側は硬い材質、下側はゴムの様な弾性体で作られている構成が好ましい。【００１１】  本発明３に用いる柄１３においては、握り部２から延びたＣ字状の範囲内において右か左に数ｃｍ人体寄りに湾曲させ、かつ徐々に厚みを薄くし、杖本体の延長上に上方に延設してあってもよい。握り部２及び柄１３に用いる材質は軽量かつ手が触れたとき暖かい感じを与えるもの好ましく、木、藤、プラスチック等が好ましい。【００１２】  本発明４で用いる固定棒４は棒状、又は筒状の強固な金属が好ましい。この固定棒４の下端はパイプアダプタ９に回転可能に軸支されていて、石突板１２の四隅に設けられた係止溝１１に係止することにより、杖本体１が石突板１２に対して直立不動の形とすることができる。パイプアダプタ９の外周には、固定棒４を留めておく固定棒受け１５がある方がよい。
〔発明の効果〕【００１３】  本発明１を用いれば、じゃり道、凸凹道、坂道等とおいても路面状態に合わせて石突板１２の角度が変わるため、杖を突く場所を選ぶ必要がなく安心して突くことができるので、視力の低い人や盲人であっても使用可能である。又、杖本体１を路面に対して自由な角度にしながらスムーズに歩行することができる。【００１４】  本発明２を用いれば、石突部１２に複数の突起３、３・・・があるので杖本体１を斜めに突いた時であっても滑りにくい。又、石突部に平面を有しているため安定感がある。【００１５】  本発明３を用いれば、柄１３が握り部２からＣ字状かつ人体寄りに湾曲していることにより握り手のじゃまにならず人体側面に柄１３を沿わせ易い。柄１３を人体側面、又は腕に接触させるかはさむようにして歩行できることにより、握り部のふらつきを抑制でき力を加え易く安定したスムーズな歩行ができる。又、前記発明の効果と合わさって、体重を片足にほとんど掛けられない人であっても歩行が可能である。【００１６】  本発明４を用いれば、使用目的に合わせて簡単に直立不動の形にすることができるので階段での使用時や、バスの乗降時等には杖がふらつかず、体を支え易い杖としても使用することができる。【００１７】  上記発明の効果により、従来の杖に比べて歩行面に対して対応できる範囲が広がるので、使用者の外出時の不安感が軽減される。
〔発明を実施するための最良の形態〕
〔実施例〕【００１８】  棒状の杖本体の下部に平面を有する石突板１２を備えた歩行者用杖１００であって、杖本体１と石突板１２とは、石突板１２の上面に備えたボール軸６と、杖本体１下端に接続された先端が二股状の形態のボールつかみ部９１を有するパイプアダプタ９によって、結合されていることにより、石突板１２に対し杖本体１を自由自在の角度に傾けることが可能となされていることを特徴とした。【００１９】  以下、本発明の実施例を図面を用いて説明する。
図１は、杖本体１の角度を自由自在に傾けることができる状態の本発明１００の全体の斜視図である。杖本体１として太さ２ｃｍ、長さ３３ｃｍのアルミのパイプを用いた。握り部２下端から柄１３上端までの長さ４０ｃｍ、横幅１６ｃｍ、握り部の太さ２．５ｃｍ、又、上部に真すぐ延びた柄の厚みは１．５ｃｍとした木を用いた。【００２０】  図２は本発明１００の下部の拡大図である。ボール軸６は直径２．４ｃｍのボール６１、ボール６１の両側の各々高さ２．３ｃｍの凸部９２、９２で構成した。パイプアダプタ９の外径１．７ｃｍのものを用い、上記ボール６１、凸部９２、９２、パイプアダプタ９はすべてプラスチックで制作した。このパイプアダプタ９の下端には二股に分かれたボールつかみ部９１、９１が備えられボール６１をつかんでいる。二股のボールつかみ部９１、９１の長さは３．０ｃｍとした。石突板１２の平面は１１ｃｍ×１６ｃｍ、厚さ１ｃｍとし、上側１２１はプラスチック、下側１２２はゴムを用い、下側には各々直径１ｃｍの半球状のゴムの突起３、３・・・を１０個付けた。【００２１】  図３は、杖本体１を直立不動の形にした時の本発明１００の下部の拡大図である。固定棒４は巾０．８ｃｍ、厚み０．３ｃｍ、高さ１３ｃｍの強固な金属製の平板を用いた。４本の固定棒４は図に示すようにパイプアダプタ９に金属軸１４によって軸支されていて回転可能となっている。そしてこの４本の固定棒を石突板１２の上面の四隅に設けた係止溝１１へそれぞれ係止すれば、パイプアダプタ９が石突板１２に固定されるのでパイプアダプタ９に連続している杖本体１が直立不動の形になるのである。なお、図の８は上記金属軸１４を円周に保持している筒状金具保持であって、金属製のものを用いた。
〔産業上の利用の可能性〕【００２２】  本発明の品は上述の通りの効果を有するから、老人、身障者、足腰に障害のある人、又、視力の低い人、盲人等にも使用可能な歩行者用杖である。
【図面の簡単な説明】
【００２３】    〔図１〕
本発明の実施の一例を示す説明図。
〔図２〕
図１の部分拡大図。
〔図３〕
図１の部分拡大図であって、固定棒４を石突板１２の係止溝に係止させた、直立不動の状態を示す説明図。
【符号の説明】
【００２４】１００  発明の杖
１      杖本体
２      握り部
１３    柄
９      パイプアダプタ
６      ボール軸
９１    ボールのつかみ部
１２    石突板
３      突起
４      固定棒
１１    係止溝
【図１】
2005270617.tif 000003
【図２】
2005270617.tif 000004
【図３】
2005270617.tif 000005